(57)【要約】      （修正有）【課題】テープ速度低減時でも特殊再生用映像データ表示する。【解決手段】ＣＰＵは磁気記録テープの特殊再生用映像データをトレースさせる（Ｓ１０）。トレースされた特殊再生用映像データは、メモリに格納される（Ｓ１１）。表示部にメモリの特殊再生用映像データを映像表示する（Ｓ１２）。テープ端付近検出手段によりテープ端付近か否かを判別する（Ｓ１３）。テープ端付近ならば、ＣＰＵは特殊再生用映像データをトレースできるテープ速度で段階的に低減制御を行う（Ｓ１４）。テープ端検出手段によりテープ端か否かを判別する（Ｓ１５）。テープ端であれば、ＣＰＵは、磁気テープを停止し、特殊再生用映像データの表示を終了する（Ｓ１６）。テープ端でなければ、Ｓ１４で指定されたテープ速度で特殊再生用映像データのトレース処理が行われ（Ｓ１０）、表示部に特殊再生用映像データの映像が表示される（Ｓ１２）。【選択図】図２
2007018587.tif 000002
【特許請求の範囲】
【請求項１】
通常再生用映像データと、通常再生速度よりも速いｎ倍速再生用の第１の特殊再生用映像データ及びｍ倍速（ｍ＜ｎ）再生用の第２の特殊再生用映像データが記録されたテープ状記録媒体を搬送し、前記テープ状記録媒体を磁気ヘッドによってトレースすることにより、前記通常再生用映像データ、第１の特殊再生用映像データ及び第２の特殊再生用映像データを再生する再生手段と、
前記テープ状記録媒体のテープ端付近であることを検出する検出手段と、
前記テープ状記録媒体を前記ｎ倍速再生に応じた第１の速度で搬送しながら前記第２の特殊再生用映像データを前記再生手段により再生する第１の特殊再生モードにおいて、前記検出手段の出力に応じて前記テープ状記録媒体の搬送速度を前記ｍ倍速再生に応じた第２の速度に変更する制御手段
とを具備することを特徴とする再生装置。
【請求項２】
前記磁気ヘッドのトレース位置がテープ端となったことを検出する第２の検出手段を備え、前記制御手段は、前記検出手段の検出結果に応じて、前記搬送速度を前記第１の速度から前記第２の速度に変更した後、前記第２の検出手段の検出結果に応じて、前記テープ状記録媒体の搬送を停止することを特徴とする請求項１に記載の再生装置。
【請求項３】
前記再生手段により再生された前記第１及び第２の特殊再生用映像データを記憶するメモリと、前記第１及び第２の特殊再生用映像データが前記再生手段により再生されない場合に前記メモリに記憶された前記第１及び第２の特殊再生用映像データを繰り返し出力する出力手段とを備えることを特徴とする請求項１又は２に記載の再生装置。
【請求項４】
通常再生用映像データと、通常再生速度よりも速いｎ倍速再生用の特殊再生用映像データとが記録されたテープ状記録媒体を搬送し、前記テープ状記録媒体を磁気ヘッドによってトレースすることにより、前記通常再生用映像データと前記特殊再生用映像データを再生する再生手段と、
前記磁気ヘッドのトレース位置が前記テープ状記録媒体のテープ端付近であることを検出する検出手段と、
前記テープ状記録媒体を前記ｎ倍速再生に応じた第１の速度で搬送しながら前記再生手段により前記特殊再生用映像データを再生する特殊再生モードにおいて、前記検出手段の出力に応じて前記テープ状記録媒体の搬送速度を前記磁気ヘッドが前記特殊再生用映像データの記録位置をトレース可能な第２の速度に変更する制御手段
とを具備することを特徴とする再生装置。
【発明の詳細な説明】
【技術分野】
【０００１】
本発明は、テープ速度を階層的に減速する再生装置に関し、より具体的には、特殊再生中にテープ速度が減速しても特殊再生用映像データを表示する再生装置に関する。
【背景技術】
【０００２】
従来、画像データをＭＰＥＧ方式で符号化し、磁気テープに記録する記録装置が知られている。この種のＭＰＥＧ記録装置では、ＭＰＥＧ方式で符号化した通常再生用画像データと特殊再生用画像データが生成され、特殊再生用画像データは、テープ上の特定エリアに記録される（例えば、特許文献１参照）。
【０００３】
図４は、磁気テープのデータ配置図である。図４において、通常再生用画像データは、１６トラック単位にエラー訂正符号化処理されている。一方、特殊再生用画像データは、８倍速用データと２４倍速用データからなり、８倍速用の特殊再生用データは、エラー訂正符号化処理の単位である１６トラック（ＥＣＣユニット）単位で配置される。
【０００４】
特殊再生用データをより具体的に説明する。８倍速用の特殊再生用映像データは、ＥＣＣユニット内のトラック番号ＥＴＮ［３：０］＝０及び４の記録トラックに対して、１７シンクブロック分の同一データ（データ番号１７〜３３）がそれぞれ２回ずつ繰り返し記録される。また、８倍速用の特殊再生用映像データは、ＥＣＣユニット内トラック番号ＥＴＮ［３：０］＝２の記録トラックに対して、残り１７シンクブロックのデータ（データ番号０〜１６）が３回繰り返されて記録される。すなわち、８倍速用の特殊再生用映像データは、１ＥＣＣバンクに３４シンクブロック（データ番号０〜３３）が割り当てられる。
【０００５】
一方、２４倍速用の特殊再生用映像データは、３ＥＣＣユニット（１６×３＝４８トラック）単位で配置される。この２４倍速用の特殊再生用映像データは、ＥＣＣユニット内のトラック番号ＥＴＮ［３：０］＝１１及び１５の記録トラックに対して、８シンクブロック分のデータ（データ番号０〜３、８〜１１）がそれぞれ４回ずつ繰り返されて記録される。また、２４倍速用の特殊再生用映像データは、ＥＣＣユニット内のトラック番号ＥＴＮ［３：０］＝１３の記録トラックに対して、４シンクブロック分のデータ（データ番号４〜７）が３回ずつ繰り返し記録される。すなわち、２４倍速用の特殊再生用映像データは、３ＥＣＣユニットに１２シンクブロック分のデータが繰り返し記録される。
【０００６】
これらの８倍速用のデータと２４倍速用のデータは、８倍速または２４倍速で磁気テープを搬送した場合の、磁気ヘッドのトレース軌跡上に配置される。
【０００７】
従来の再生装置において、特殊再生時、テープ端における停止時のテンションを低減するための、テープ端付近でテープ速度を減速させる技術も知られている（例えば、特許文献２参照）。
【０００８】
図５は、テープ位置と、テープ供給リール及びテープ巻取りリールの回転数をそれぞれ計数する２つのリールパルスカウンタとの関係を示す模式図である。図５を用いて、テープ端付近でテープ速度を減速させる従来方法を説明する。テープ始端ＢＯＴ（Ｂｅｇｉｎ  Ｏｆ  Ｔａｐｅ）で、テープ供給リール及びテープ巻取りリールに配置されるリールパルスカウンタをリセットし、供給側から巻取側にテープを送る。テープ終端ＥＯＴ（Ｅｎｄ  Ｏｆ  Ｔａｐｅ）までカウントアップを行うと、２つのリールパルスカウンタのカウント値に差が生じ、その差はテープ中央で最大となる。したがって、カウント値の差の程度からＥＯＴ側のテープ端付近ＴＢ，ＴＣ，ＴＤ，ＴＥを検知可能である。また、カウント値の差の程度から、ＢＯＴ側のテープ端付近ＴＡを検知可能である。このカウント値の差は、テープの種類やテープ速度とは無関係に生ずるので、各種のテープのテープ端を検出でき、停止時のテンション上昇を低減できる。
【特許文献１】特開２００４−１５４５７号公報
【特許文献２】特開平０６−１６８５００号公報
【発明の開示】
【発明が解決しようとする課題】
【０００９】
特許文献１に係る方法では、特定のテープ速度以外では特殊再生用映像データを再生できない。
【００１０】
また、特許文献１に記載の構成において、特許文献２に記載の様に、テープ端で停止時のテンションを軽減しようとして、テープ端付近でテープ速度を減速させると、特殊再生用映像データを再生できなくなるため、サーチ再生しながらテープ位置がテープ端に近づくと、再生画像が表示されなくなるという問題がある。
本発明は、以上のような状況に鑑みてなされたものであり、テープ速度低減時でも特殊再生用映像データを表示可能な再生装置を提供することを目的とする。
【課題を解決するための手段】
【００１１】
上記の目的を達成するために、本発明に係る再生装置は、通常再生用映像データと、通常再生速度よりも速いｎ倍速再生用の第１の特殊再生用映像データ及びｍ倍速（ｍ＜ｎ）再生用の第２の特殊再生用映像データが記録されたテープ状記録媒体を搬送し、前記テープ状記録媒体を磁気ヘッドによってトレースすることにより、前記通常再生用映像データ、第１の特殊再生用映像データ及び第２の特殊再生用映像データを再生する再生手段と、前記テープ状記録媒体のテープ端付近であることを検出する検出手段と、前記テープ状記録媒体を前記ｎ倍速再生に応じた第１の速度で搬送しながら前記第２の特殊再生用映像データを前記再生手段により再生する第１の特殊再生モードにおいて、前記検出手段の出力に応じて前記テープ状記録媒体の搬送速度を前記ｍ倍速再生に応じた第２の速度に変更する制御手段とを具備することを特徴とする。
本発明に係る再生装置は、通常再生用映像データと、通常再生速度よりも速いｎ倍速再生用の特殊再生用映像データとが記録されたテープ状記録媒体を搬送し、前記テープ状記録媒体を磁気ヘッドによってトレースすることにより、前記通常再生用映像データと前記特殊再生用映像データを再生する再生手段と、前記磁気ヘッドのトレース位置が前記テープ状記録媒体のテープ端付近であることを検出する検出手段と、前記テープ状記録媒体を前記ｎ倍速再生に応じた第１の速度で搬送しながら前記再生手段により前記特殊再生用映像データを再生する特殊再生モードにおいて、前記検出手段の出力に応じて前記テープ状記録媒体の搬送速度を前記磁気ヘッドが前記特殊再生用映像データの記録位置をトレース可能な第２の速度に変更する制御手段とを具備することを特徴とする。
【発明の効果】
【００１２】
本発明によれば、テープ速度を減速させても、特殊再生用映像データを表示することができる。また、メモリに保持した特殊再生用映像データをリピート表示するようにしたので、テープ速度低減制御中に特殊再生用映像データをトレースできなかった場合でも、特殊再生用映像データを表示することができる。
【発明を実施するための最良の形態】
【００１３】
以下、図面を参照しながら、本発明の好適な実施例を説明する。
【実施例１】
【００１４】
図１は、本発明に係る再生装置の一実施例の概略構成ブロック図である。図１において、再生装置１０は、磁気ビデオテープレコーダ、ビデオテープレコーダ又はデジタルビデオカメラ等であり、ＭＰＥＧコーデック１２、メモリ１４、操作部１６、ＣＰＵ１８、表示部２０及び磁気記録テープ２２を具備する。
【００１５】
ＭＰＥＧコーデック１２は、ＭＰＥＧ方式により映像データと特殊再生用映像データを圧縮し、メモリ１４に一時保持する。また、ＭＰＥＧコーデック１２はメモリ１４から圧縮映像データを読み出し、伸長する。操作部１６はユーザのインタフェースであり、操作ボタン（不図示）または操作キー等（不図示）等からなる。ＣＰＵ１８は、再生装置１０の全体を制御する。表示部２０は、ＬＣＤ（液晶ディスプレイ）であり、映像を表示する。磁気テープ２２には、図４に示した様に、通常再生用の映像データと特殊再生用の映像データが記録される。
【００１６】
特殊再生処理を説明する。特殊再生時、ＣＰＵ１８は、図示しない磁気ヘッドにより、通常の搬送速度よりも速い所定の速度で搬送される磁気テープ２２からメモリ１４に特殊再生用映像データを読み出す。ＭＰＥＧコーデック１２は、メモリ１４に読み込まれた特殊再生用映像データを順次、伸長し、表示部２０に特殊再生用映像データの映像を表示する。ただし、特殊再生用映像データが非圧縮データの場合、ＭＰＥＧコーデック１２でデコードする必要はない。また、テープ端付近では、停止時のテンション低減のため、ＣＰＵ１８は、テープ速度低減制御を行う。
【００１７】
図２を参照して、テープ速度減速処理における特殊再生用映像データのトレースと表示方法を説明する。図２は、特殊再生中でのテープ減速処理のフローチャートである。
【００１８】
ＣＰＵ１８は、磁気ヘッドにより磁気テープ２２上の特殊再生用映像データの記録領域がトレース可能な速度で磁気テープ２２を搬送させる（Ｓ１０）。ただし、本実施例では、２４倍速では３ＥＣＣブロック毎に特殊再生用映像データの記録領域をトレースし、８倍速では、１ＥＣＣブロック毎に特殊再生用映像データの記録領域をトレースするものとする。また、本実施例の特殊再生の最高速度は２４倍速であるとする。但し、何個のブロック毎に特殊再生用データをトレースするかは、実際の記録フォーマットによる。
【００１９】
この様に、テープ２２上の特殊再生用映像データの記録領域より再生された特殊再生用映像データをメモリ１４に格納する（Ｓ１１）。メモリ２０に格納した特殊再生用映像データの映像を表示部２０に表示する（Ｓ１２）。ただし、本実施例では、メモリ１４に格納された特殊再生用映像データの映像を逐次、表示部２０に表示するものとするが、本発明は、このような逐次表示に限定されない。
【００２０】
テープ端付近検出手段により、テープ端付近であるか否かを判別する（Ｓ１３）。テープ端付近ならば、ＣＰＵ１８は、磁気テープ２２の搬送速度を段階的に低くする。ただし、このとき、特殊再生用映像データの記録領域を磁気ヘッドがトレース可能な搬送速度とする（Ｓ１４）。本実施例では、磁気記録テープ２２の搬送制御として、２４倍速から８倍速に変更する。なお、本実施例では、２４倍速から８倍速へ段階的に減速するが、特殊再生用映像データの記録領域がトレース可能な速度、例えば、２倍速などであれば、これに限定されない。ただし、２倍速で搬送した場合、表示画像の更新周期は８倍速再生時に比べて長くなる。
【００２１】
テープ端検出手段により、テープ端であるか否かを判別する（Ｓ１５）。テープ端であれば、ＣＰＵ１８は、磁気記録テープ２２を停止し、特殊再生用映像データの映像表示を終了する（Ｓ１６）。テープ端でなければ、Ｓ１４で指定されたテープ速度で特殊再生用映像データのトレース処理が続行し（Ｓ１０）、表示部２０に特殊再生用映像データの映像が表示される（Ｓ１１，Ｓ１２）。
【００２２】
なお、テープ速度減速中に磁気テープ２２の特殊再生用映像データをトレースできなかった場合、メモリ１４に格納された特殊再生用映像データが繰り返し読み出され、対応する映像が表示部２０に繰り返し表示される。
【００２３】
テープ速度とテープ残量との関係を説明する。図３は、テープ速度とテープ残量の関係を示す模式図である。２４倍速の特殊再生中にテープ端付近が検出された場合（Ｓ１３）、ＣＰＵ１８は、テープ速度を２４倍速から８倍速に減速する。２４倍速から８倍速に減速した後、ＣＰＵ１８は、テープ端が検出されるまで８倍速のテープ速度を保持する。テープ端が検出されると（Ｓ１５）、ＣＰＵ１８はテープを停止させる。
【００２４】
本実施例で説明したテープ端付近検出手段とテープ端検出手段は、図４で示したリールパルスカウントとテープの残量との関係から、それぞれテープ端付近及びテープ端を検出する。従って、テープ端付近検出手段は、特許請求の範囲の第１の検出手段に対応し、テープ端検出手段は、特許請求の範囲の第２の検出手段に対応する。
【００２５】
このようにして、本実施例では、磁気テープ２２が減速処理され、磁気テープ２２のテープ速度が変化している場合でも、表示部２０に特殊再生用映像データの映像を表示することができる。
【図面の簡単な説明】
【００２６】
【図１】本発明に係る一実施例の再生装置の概略構成ブロック図である。
【図２】特殊再生用映像データ表示のフローチャートである。
【図３】テープ速度とテープ残量の関係の模式図である。
【図４】磁気テープのデータ配置図である。
【図５】テープ位置とリールパルスカウンタの関係を示す模式図である。
【符号の説明】
【００２７】
１０  再生装置
１２  ＭＰＥＧコーデック
１４  メモリ
１６  操作部
１８  ＣＰＵ
２０  表示部
２２  磁気記録テープ
【図１】
2007018587.tif 000003
【図２】
2007018587.tif 000004
【図３】
2007018587.tif 000005
【図４】
2007018587.tif 000006
【図５】
2007018587.tif 000007